(57)【特許請求の範囲】
【請求項１】
利用者の特定できるＩＤを記録しているＩＣカードを用いて、駐車料金が利用者の購入金額や利用実績に応じて割引かれる店舗と駐車場とを連携させる駐車場システムであって、
前記ＩＣカードを組み入れた車載器からの無線送信によって受取ったＩＤを、受取った入場時刻とともに中央装置へ送る入口ゲート装置と、
駐車料金の割引情報を入力する入力手段と、
前記車載器より取り出された前記ＩＣカードからＩＤを読み取るとともに、前記入力手段から入力された割引情報を、当該ＩＤと対応付けて中央装置へ送る端末装置と、
店舗の売り場から駐車場構内に至る間に設置され、前記ＩＣカードからＩＤを読取るとともに読み取った時刻を出場時刻として当該ＩＤと対応付けて送信し、受信した駐車料金を利用者に提示して過不足がなくなるように駐車料金の精算を求めるとともに、利用者の精算によって駐車料金の過不足が無くなった時点で精算済みを示す精算済み情報を当該ＩＤと対応付けて送信する料金精算手段と、
前記入口ゲート装置より受取ったＩＤと入場時刻とを対応付けて利用管理テーブルに保存管理し、前記端末装置から受取った割引情報を、該当するＩＤに対応付けて利用管理テーブルに保存管理し、前記料金精算手段からＩＤと対応した精算済み情報を受取り利用管理テーブルに保存管理するとともに、
前記料金精算手段よりＩＤに対応した出場時刻を受取り、当該ＩＤに対応して利用管理テーブルに保存管理していた入場時刻および割引情報と受取った出場時刻とに基づいて駐車料金を計算するとともに、計算した駐車料金を当該ＩＤと対応付けて前記料金精算手段に送信する中央装置と、
駐車場の出口にあって、前記車載器より無線でＩＤを受取る出口ゲート装置と、
駐車場の出口にあって、前記出口ゲート装置で受取ったＩＤと対応した精算済み情報が、前記中央装置に保管されている場合に前記車載器の設けられた車両の通行を許可し、保管されていない場合に車両の通行を阻止する阻止装置と、
を備えたことを特徴とする駐車場システム。
【請求項２】
前記入力手段より利用者の購入金額や利用実績を割引情報として入力し、予め設定された料金割引テーブルを参照して利用者の購入金額や利用実績に基づいて駐車料金を計算する中央装置とを有することを特徴とする請求項１に記載の駐車場システム。
【請求項３】
ＩＤと車種情報とを入口ゲート装置へ無線送信する車載器と、
前記車載器より無線で受取った車種情報を、中央装置へ送る入口ゲート装置と、
駐車場所の空き状況を検出する車両センサと、
前記入口ゲート装置から受取った車種情報と、前記車両センサの検出結果に基づいてどの駐車場所が空いているかを把握し、受取った車種に適合した駐車場所への誘導を誘導装置へ指示する中央装置と、
前記中央装置からの指示により、車を誘導する誘導表示装置とを有することを特徴とする請求項１に記載の駐車場システム。
【請求項４】
前記車載器の表示装置へ車の誘導情報を送る中央装置とを有することを特徴とする請求項３に記載の駐車場システム。
【請求項５】
前記入口ゲート装置から受取った車種情報に基づき、前記車両センサによりどの駐車場所が空いているかを把握し、受取った車種に適合した駐車場所への誘導情報を駐車場所への走行中に車載器の表示装置へ送る中央装置とを有することを特徴とする請求項３に記載の駐車場システム。
【請求項６】
前記中央装置は、前記料金精算装置の近傍に配置されたこと特徴とする請求項１に記載の駐車場システム。
【発明の詳細な説明】
【０００１】
【発明の属する技術分野】
この発明は、店舗（売り場）と駐車場とを連携して、利用者の購入金額や利用実績に応じて駐車料金を割引くことができる駐車場システムに関するものである。
【０００２】
【従来の技術】
従来の駐車場システムとして、例えば、日立のホームページに記載の「駐車場管理システム」には、専用の駐車券を用いて、店舗（売り場）と駐車場とを連携して、利用者の購入金額や利用実績に応じて駐車料金を割引く駐車場システムがある。
【０００３】
図８は、従来の駐車場システムの概略のブロック図である。図において、入口ゲート装置２０３は駐車場の入口にあり、車の接近を検知し、利用者を一意に特定できるＩＤ（以下、利用者ＩＤと略）を記録している専用の駐車券２０１を発券する。利用者は、この発券された駐車券を受取り、車を駐車場構内に停めた後、店舗（売り場）に駐車券を持ち込む。また、入口ゲート装置２０３は、駐車券を発券した時刻（入場時刻）を利用者ＩＤと一緒に中央装置２０４へ送り込む。
【０００４】
入力手段２０５は、店舗（売り場）にあり、利用者の購入金額や利用実績に応じた駐車料金の割引金額が入力される。
【０００５】
端末装置２０６は、店舗（売り場）にあり、駐車券２０１を取り込み利用者ＩＤを読込んで、入力手段２０５から入力された駐車料金の割引金額を利用者ＩＤと一緒に中央装置２０４へ送り込む。
【０００６】
出口ゲート装置２０７は、駐車券２０１を取り込み利用者ＩＤを読込んで、取り込んだ時刻（出場時刻）と一緒に中央装置２０４へ送り込む。
【０００７】
中央装置２０４は、入口ゲート装置２０３より受取った利用者ＩＤと入場時刻とを対応付けて利用管理テーブル２１２に保存管理するとともに、端末装置２０６から受取った割引金額を該当する利用者ＩＤに対応付けて利用管理テーブル２１２に保存管理するとともに、出口ゲート装置２０７より受取った利用者ＩＤと出場時刻と利用管理テーブル２１２に保存管理していた入場時刻とから駐車場利用時間を計算し、駐車料金テーブル２１３を参照して駐車場利用時間から駐車料金を計算し、利用管理テーブル２１２に保存管理していた割引金額を駐車料金に反映させ利用者ＩＤと一緒に料金精算装置２０８へ送り込む。
【０００８】
上記中央装置２０４で実行される処理は、例えば具体的には、計算機内の中央演算装置（ＣＰＵ：Ｃｅｎｔｒａｌ  Ｐｒｏｃｅｓｓｉｎｇ  Ｕｎｉｔ）によって実行される所定のプログラムである。また、利用管理テーブル、駐車料金テーブルに記録されるデータは、通常は、計算機上の記憶装置に格納され、必要に応じて読み出されて使用される。
【０００９】
料金精算装置２０８は、中央装置２０４より受取った駐車料金を車（利用者）に提示して駐車料金の支払いを求め、支払手段２１１より受取った金額が駐車料金より多いときはお釣りを利用者に払うように支払手段２１１に指示し、支払手段２１１より受取った金額が駐車料金より少ないときは不足分を車（利用者）に提示して更に駐車料金の支払を求め、駐車料金に過不足が無くなった時点で阻止装置２０９に通過可の信号を送り車（利用者）に通過できることを通知する。
【００１０】
支払手段２１１は、利用者が支払ったお金を受取り、料金精算装置２０８が提示した駐車料金より多い場合は料金精算装置２０８からの指示でお釣りを返す。
【００１１】
阻止装置２０９は、料金精算装置２０８からの通過可の信号が来るまでは阻止棒２１０を降ろして車（利用者）が通行できないようにするか、あるいは、阻止棒２１０は常に上げておき料金精算装置２０８からの通過可の信号が来る前に車（利用者）が通行しようとした場合に阻止棒２１０を降ろして車が通行できないようにする。また、通過可の信号を受けたときに、阻止棒２１０を上げて車（利用者）に出口ゲート装置の通行を許可する。
【００１２】
図９は、従来の駐車場システムの全体の構成の概略を示す模式図である。図において、入口ゲート装置２０３は駐車場の入口にあり、車（利用者）は必ずここを通って駐車場構内へ入る。
【００１３】
入力手段２０５と端末装置２０６とは店舗（売り場）にあり、利用者の駐車券はここで一旦読込まれ、購入金額や利用実績に応じた駐車料金の割引金額が入力・処理される。
【００１４】
出口ゲート装置２０７と料金精算装置２０８と支払手段２１１と阻止装置２０９と阻止棒２１０とは駐車場の出口にまとまってあり、車（利用者）は必ずここを通って駐車場構内から出る。
【００１５】
処理装置２０４は駐車場構内や店舗（売り場）にあってもよく、また、別途計算機室にあってもよい。
【００１６】
【発明が解決しようとする課題】
上記のような従来の駐車場システムでは、店舗（売り場）と駐車場とを連携して、利用者の購入金額や利用実績に応じて駐車料金を割引くには駐車場専用の駐車券が必要であった。また、車種に応じた駐車場所への案内が無かった。
【００１７】
この発明は、かかる問題点を解決するためになされたもので、専用の駐車券を用いることなく、店舗（売り場）と駐車場とを連携して、駐車料金を利用者の購入金額や利用実績に応じて割引くことができる駐車場システムを得るものである。
【００１８】
【課題を解決するための手段】
第１の発明による駐車場システムは、利用者の特定できるＩＤを記録しているＩＣカードを用いて、駐車料金が利用者の購入金額や利用実績に応じて割引かれる店舗と駐車場とを連携させる駐車場システムであって、
前記ＩＣカードを組み入れた車載器からの無線送信によって受取ったＩＤを、受取った入場時刻とともに中央装置へ送る入口ゲート装置と、駐車料金の割引情報を入力する入力手段と、前記車載器より取り出された前記ＩＣカードからＩＤを読み取るとともに、前記入力手段から入力された割引情報を、当該ＩＤと一緒に中央装置へ送る端末装置と、店舗の売り場から駐車場構内に至る間に設置され、前記ＩＣカードからＩＤを読取るとともに読み取った時刻を出場時刻として当該ＩＤと一緒に送信し、受信した駐車料金を利用者に提示して過不足がなくなるように駐車料金の精算を求めるとともに、利用者の精算によって駐車料金の過不足が無くなった時点で精算済みを示す精算済み情報を当該ＩＤと対応付けて送信する料金精算手段と、前記入口ゲート装置より受取ったＩＤと入場時刻とを対応付けて利用管理テーブルに保存管理し、前記端末装置から受取った割引情報を、該当するＩＤに対応付けて利用管理テーブルに保存管理し、前記料金精算手段からＩＤと対応した精算済み情報を受取り利用管理テーブルに保存管理するとともに、前記料金精算手段よりＩＤと一緒に出場時刻を受取り、当該ＩＤに対応して利用管理テーブルに保存管理していた入場時刻および割引情報と受取った出場時刻とに基づいて駐車料金を計算するとともに、計算した駐車料金を当該ＩＤと一緒に前記料金精算手段に送信する中央装置と、駐車場の出口にあって、前記車載器より無線でＩＤを受取る出口ゲート装置と、駐車場の出口にあって、前記出口ゲート装置で受取ったＩＤと対応した精算済み情報が、前記中央装置に保管されている場合に前記車載器の設けられた車両の通行を許可し、保管されていない場合に車両の通行を阻止する阻止装置と、を備えたものである。
【００１９】
第２の発明による駐車場システムは、前記入力手段より利用者の購入金額や利用実績を割引情報として入力し、予め設定された料金割引テーブルを参照して利用者の購入金額や利用実績に基づいて駐車料金を計算する中央装置とを有するものである。
【００２１】
第３の発明による駐車場システムは、ＩＤと車種情報とを入口ゲート装置へ無線送信する車載器と、前記車載器より無線で受取った車種情報を、中央装置へ送る入口ゲート装置と、駐車場所の空き状況を検出する車両センサと、前記入口ゲート装置から受取った車種情報と、前記車両センサの検出結果に基づいてどの駐車場所が空いているかを把握し、受取った車種に適合した駐車場所への誘導を誘導装置へ指示する中央装置と、前記中央装置からの指示により、車を誘導する誘導表示装置とを有するものである。
【００２２】
第４の発明による駐車場システムは、前記車載器の表示装置へ車の誘導情報を送る中央装置とを有するものである。
【００２３】
第５の発明による駐車場システムは、前記入口ゲート装置から受取った車種情報に基づき、前記車両センサによりどの駐車場所が空いているかを把握し、受取った車種に適合した駐車場所への誘導情報を駐車場所への走行中に車載器の表示装置へ送る中央装置とを有するものである。
【００２４】
第６の発明による駐車場システムは、前記中央装置は、前記料金精算装置の近傍に配置されたものである。
【００２５】
【発明の実施の形態】
実施の形態１．
図１はこの発明の実施の形態１による駐車場システムの概略のブロック図である。本装置において中心的な処理を行っている装置は無線伝送装置、演算手段、記憶手段、入出力手段を有する計算機を用いて構成され、また駐車料金の精算はＩＣカード（以下、ＩＣＣとする）で行われる。まず、図１を用いて、各ブロックを説明する。
【００２６】
図１において、ＩＣＣ１と車載器２と入口ゲート装置３と出口ゲート装置７とは、ノンストップ自動料金収受システム等における無線伝送装置を利用しており、車載器２は車に固定されており、ＩＣＣ１は車載器２にセットされた状態で入口ゲート装置３と出口ゲート装置７とを通過するが、駐車場構内に駐車時は利用者によりＩＣＣ１は車載器２から取り外され店舗（売り場）に持ち込まれる。
【００２７】
車載器２は、ＩＣＣ１を組入れ、ＩＣＣ１に記録されていたＩＤ情報（以下、ＩＣＣ−ＩＤとする）と接近通過時刻とを入口ゲート装置および出口ゲート装置へ無線送信する。
【００２８】
入口ゲート装置３は駐車場の入口にあり、車両感知器によって車の接近を検知し、車載器２より無線で利用者を一意に特定するＩＣＣ−ＩＤを受取り、受取った時刻（入場時刻）をＩＣＣ−ＩＤと一緒に中央装置４へ送り込む。
【００２９】
入力手段５は、店舗（売り場）にあり、店舗（売り場）の係員により、利用者の購入金額や利用実績に応じた駐車料金の割引金額が入力される。
【００３０】
端末装置６は、店舗（売り場）にあり、ＩＣＣ１を取り込みＩＣＣ−ＩＤを読込んで、入力手段５から入力された駐車料金の割引金額をＩＣＣ−ＩＤと一緒に中央装置４へ送り込む。
【００３１】
中央装置４は、入口ゲート装置３より受取ったＩＣＣ−ＩＤと入場時刻とを対応付けて利用管理テーブル１２に保存管理するとともに、端末装置６から受取った割引金額を該当するＩＣＣ−ＩＤに対応付けて利用管理テーブル１２に保存管理するとともに、出口ゲート装置７より受取ったＩＣＣ−ＩＤと出場時刻と利用管理テーブル１２に保存管理していた入場時刻とから駐車場利用時間を計算し、駐車料金テーブル１３を参照して駐車場利用時間から駐車料金を計算し、利用管理テーブル１２に保存管理していた割引料金を駐車料金に反映させＩＣＣ−ＩＤと一緒に料金精算装置８へ送り込む。
【００３２】
料金精算装置８は、中央装置４より受取った駐車料金を車（利用者）に提示して駐車料金の支払いを求め、支払手段１１より受取った金額が駐車料金より多いときはお釣りを利用者に払うように支払手段１１に指示し、支払手段１１より受取った金額が駐車料金より少ないときは不足分を車（利用者）に提示して更に駐車料金の支払いを求め、利用者が支払った金額に過不足が無くなった時点で阻止装置９に通過可の信号を送り車（利用者）に通過できることを通知する。
【００３３】
支払手段１１は、利用者が支払ったお金を受取り、料金精算装置８が提示した駐車料金より多い場合は料金精算装置８からの指示でお釣りを返す。
【００３４】
阻止装置９は、料金精算装置８からの通過可の信号がくるまでは阻止棒１０を降ろして車（利用者）が通行できないようにするか、あるいは、阻止棒１０は常に上げておき料金精算装置８からの通過可の信号が来る前に車（利用者）が通行しようとした場合に阻止棒１０を降ろして車が通行できないようにする。
【００３５】
利用管理テーブル１２は、ＩＣＣ−ＩＤに対応して、入場時刻と割引金額とが保存管理されている。
【００３６】
駐車料金テーブル１３は、出場時刻と入場時刻との差、即ち、駐車時間に対する駐車料金が保存されている。
【００３７】
図１０は、この発明の実施の形態１による駐車場システムの全体の構成の概略を示す模式図である。図において、入口ゲート装置３は駐車場の入口にあり、車（利用者）は必ずここを通って駐車場構内へ入る。
【００３８】
入力手段５と端末装置６とは店舗（売り場）にあり、利用者のＩＣＣ１はここで一旦読込まれ、購入金額や利用実績に応じた駐車料金の割引金額が入力・処理される。
【００３９】
出口ゲート装置７と料金精算装置８と支払手段１１と阻止装置９と阻止棒１０とは駐車場の出口にまとまってあり、車（利用者）は必ずここを通って駐車場構内から出る。
【００４０】
処理装置４は駐車場構内や店舗（売り場）にあってもよく、また、別途計算機室にあってもよい。
【００４１】
次に動作について説明する。
まず、ＩＣＣ１は車に固定された車載器２にセットされた状態で、車の移動により入口ゲート装置３に近付く。入口ゲート装置３は車の接近を検知し、車載器２よりＩＣＣ１に記録されていたＩＣＣ−ＩＤを無線で受取る。入口ゲート装置３は受取ったＩＣＣ−ＩＤを受取った時刻（入場時刻）と一緒に中央装置４へ送り込む。中央装置４は、入口ゲート装置３より受取ったＩＣＣ−ＩＤと入場時刻とを対応付けて利用管理テーブル１２に保存管理する。
【００４２】
利用者は駐車場構内に駐車後、ＩＣＣ１を車載器２から取り外して車から降り、店舗（売り場）に持ち込む。利用者の購入金額や利用実績に応じて、店舗（売り場）の係員により、駐車料金の割引金額が入力手段５により入力される。またこの時同時に端末装置６に、利用者の持つＩＣＣ１が取り込まれる。端末装置６はＩＣＣ１の持つＩＣＣ−ＩＤを読込んで、入力手段５から入力された駐車料金の割引金額と一緒に中央装置４へ送り込む。中央装置４は割引金額をＩＣＣ−ＩＤと対応させて利用管理テーブル１２に保存管理する。ＩＣＣ−ＩＤの読込みが終わったＩＣＣ１は端末装置６から取り出され、利用者に返却される。
【００４３】
利用者は店舗（売り場）から駐車場構内へ移動し、車に乗り込みＩＣＣ１を車載器２にセットする。ＩＣＣ１は車に固定された車載器２にセットされた状態で、車の移動により出口ゲート装置７に近付く。出口ゲート装置７は車の接近を検知し、車載器２よりＩＣＣ１に記録されていたＩＣＣ−ＩＤを無線で受取る。出口ゲート装置７は受取ったＩＣＣ−ＩＤを受取った時刻（出場時刻）と一緒に中央装置４へと送り込む。中央装置４は、出口ゲート装置７より受取ったＩＣＣ−ＩＤと出場時刻と利用管理テーブル１２に保存管理していた入場時刻とから駐車場利用時間を計算し、駐車料金テーブル１３を参照して、駐車場利用時間から駐車料金を計算し、利用管理テーブル１２に保存管理していた割引料金を適用して最終の駐車料金を計算し、ＩＣＣ−ＩＤと一緒に料金精算装置８へ送り込む。
【００４４】
料金精算装置８は、中央装置４より受取った駐車料金を車（利用者）に提示して駐車料金の支払いを求める。利用者は提示された金額のお金を支払手段１１により支払う。ここで、駐車料金が無料であった場合は、料金精算装置８はこの駐車料金の支払を求めることはない。利用者が支払った金額が駐車料金より多いときはお釣りが支払手段１１により支払われ、利用者が支払った金額が駐車料金より少ない時は駐車料金に達するまで利用者に支払いを求める。利用者が支払った金額に過不足が無くなった時点で阻止装置９に通過可の信号が料金精算装置８より送り込まれる。
【００４５】
阻止装置９は、料金精算装置８からの通過可の信号がくるまでは阻止棒１０を降ろして車（利用者）が通行できないようにするか、あるいは、阻止棒１０は常に上げておき料金精算装置８からの通過可の信号が来る前に車（利用者）が通行しようとした場合に阻止棒１０を降ろして車が通行できないようになっている。前記料金精算装置８からの通過可の信号を受けて、阻止装置９は精算の終わった車（利用者）を通過させ、駐車場構内から外へ出す。
【００４６】
以上のように、中央装置４においてＩＣＣ−ＩＤと対応付けて入場時刻を管理し、端末装置６において利用者が店舗（売り場）に持ち込んだＩＣＣを取り込みＩＣＣ−ＩＤと対応付けて駐車料金の割引金額を管理しているので、専用の駐車券を用いることなく、店舗（売り場）と駐車場とを連携して、駐車料金を利用者の購入金額や利用実績に応じて割引くことができる。
【００４７】
実施の形態２．
実施の形態１では、割引金額を直接入力して利用者の駐車料金から割引を行うようにしたものであるが、この実施の形態２では、料金割引テーブルを予め持つことにより利用者の購入金額や利用実績から割引料金を計算可能とする。
【００４８】
図２は、本発明の実施の形態２による駐車場システムの概略のブロック図である。本実施の形態２において、上記実施の形態と同一または相当の機能を有する構成要素には、同一の符号を付し説明を省略する。また、変更のない部分を省略する。図２を用いて、本装置の機能構成を説明する。
【００４９】
入力手段２５は、店舗（売り場）の係員により、利用者の購入金額や利用実績が入力される。
【００５０】
端末装置２６は、入力手段２５への入力と同時にＩＣＣ１を取り込みＩＣＣ−ＩＤを読込んで、入力手段２５から入力された利用者の購入金額や利用実績をＩＣＣ−ＩＤと一緒に中央装置２４へ送り込む。
【００５１】
中央装置２４は、入口ゲート装置３より受取ったＩＣＣ−ＩＤと入場時刻とを対応付けて利用管理テーブル１２に保存管理するとともに、端末装置２６から受取った利用者の購入金額や利用実績を該当するＩＣＣ−ＩＤに対応付けて利用管理テーブル１２に保存管理するとともに、出口ゲート装置７より受取ったＩＣＣ−ＩＤと出場時刻と利用管理テーブル１２に保存管理していた入場時刻とから駐車場利用時間を計算し、駐車料金テーブル１３を参照して駐車場利用時間から駐車料金を計算し、利用管理テーブル１２に保存管理していた利用者の購入金額や利用実績を料金割引テーブル１４に基づいて割引料金を計算して駐車料金に反映させＩＣＣ−ＩＤと一緒に料金精算装置８へ送り込む。
【００５２】
料金割引テーブル１４は、利用者の購入金額や利用実績に対する割引金額が保存されている。
【００５３】
次に動作について説明する。
本実施の形態２では、店舗（売り場）の係員により、利用者の購入金額や利用実績が入力手段２５により入力される。
【００５４】
端末装置２６は、ＩＣＣ−ＩＤと入力手段２５から入力された利用者の購入金額や利用実績と一緒に中央装置２４に送り込む。
【００５５】
中央装置２４は、利用者の購入金額や利用実績を駐車料金の割引金額と対応付けて保存管理している料金割引テーブル１４を用いて利用者の購入金額や利用実績から駐車料金の割引金額を計算し、ＩＣＣ−ＩＤと対応させて利用管理テーブル１２に保存管理する。
【００５６】
以上のように、中央装置２４において利用者の購入金額や利用実績を駐車料金の割引金額と対応付けて保存管理している料金割引テーブル１４を用いているので、駐車料金の割引金額を店舗（売り場）の係員が知らなくても、利用者の購入金額や利用実績を入力するだけで以降の駐車料金を精算できる。
【００５７】
実施の形態３．
以上の実施の形態１では、駐車料金の精算を出口において行うようにしたものであるが、この実施の形態３では、駐車料金の精算を利用者が車に乗り込む前に行うことで入口だけでなく出口においても車（利用者）がノンストップで通過可能とする。
【００５８】
図３は、本発明の実施の形態３である駐車場システムの概略のブロック図である。本実施の形態３において、上記実施の形態と同一または相当の機能を有する構成要素には、同一の符号を付し説明を省略する。また、変更のない部分を省略する。図３を用いて、本装置の機能構成を説明する。
【００５９】
出口ゲート装置４７は、駐車場の出口にあり、車の接近を検知し、車載器２より無線でＩＣＣ−ＩＤを受取り、中央装置４４へ送り込む。
【００６０】
中央装置４４は、料金精算装置４８より受取ったＩＣＣ−ＩＤと精算時刻（出場時刻と同じ）と利用管理テーブル５２に保存管理していた入場時刻とから駐車場利用時間を計算し、駐車料金テーブル１３を参照して駐車場利用時間から駐車料金を計算し、端末装置６から受取った割引金額を駐車料金に反映させＩＣＣ−ＩＤと一緒に料金精算装置４８へと送り込むとともに、利用者が料金を精算した後に料金精算装置４８よりＩＣＣ−ＩＤと対応した精算済みか否かを示す精算フラグを受取り利用管理テーブル５２に保存するとともに、利用者が駐車場から出る際に出口ゲート装置４７より受取ったＩＣＣ−ＩＤより利用管理テーブル５２に保存していた精算フラグを参照し精算済みであれば阻止装置９に通過可の信号を送り、精算済みでなければ阻止装置９に通過否の信号を送る。
【００６１】
料金精算装置４８は、ＩＣＣ１を取り込みＩＣＣ−ＩＤを読込んで、取り込んだ時刻を出場時刻としてＩＣＣ−ＩＤと一緒に中央装置４４へ送り込むとともに、中央装置４４より受取った駐車料金を利用者に提示して駐車料金の支払を求め、支払手段１１に指示して過不足が無くなるようにし、過不足が無くなった時点で中央装置４４に精算済みの精算フラグをＩＣＣ−ＩＤと一緒に送り込む。
【００６２】
阻止装置４９は、中央装置４４からの通過可の信号が来るまでは阻止棒１０を降ろして車（利用者）が通行できないようにするか、あるいは、阻止棒１０は常に上げておき中央装置４４からの通過可の信号が来る前に車（利用者）が通行しようとした場合に阻止棒１０を降ろして車が通行できないようにする。
【００６３】
利用管理テーブル５２は、ＩＣＣ−ＩＤに対応して、入場時刻と割引金額と精算フラグとが保存管理されている。
【００６４】
図１１は、この発明の実施の形態３による駐車場システムの全体の構成の概略を示す模式図である。図において、入口ゲート装置３は駐車場の入口にあり、車（利用者）は必ずここを通って駐車場構内へ入る。
【００６５】
入力手段５と端末装置６とは店舗（売り場）にあり、利用者のＩＣＣ１はここで一旦読込まれ、購入金額や利用実績に応じた駐車料金の割引金額が入力・処理される。
【００６６】
店舗（売り場）と駐車場構内との間に料金精算装置４８と支払手段１１とが設置されており、利用者はここで予め駐車料金の精算を済ませておく。
【００６７】
利用者は車に乗り込み、精算済みのＩＣＣ１を車載器２にセットして出口へと移動する。
【００６８】
出口ゲート装置４７と阻止装置９と阻止棒１０とは駐車場の出口にまとまってあり、車（利用者）は必ずここを通って駐車場構内から出る。
【００６９】
処理装置４４３は駐車場構内や店舗（売り場）にあってもよく、また、別途計算機室にあってもよい。
【００７０】
次に動作について説明する。
本実施の形態３では、利用者は店舗（売り場）から駐車場構内へ移動する間に駐車料金の精算を行う。利用者は車載器２から取り外した状態のＩＣＣ１を料金精算装置４８に取り込ませる。
【００７１】
料金精算装置４８は、ＩＣＣ１を取り込みＩＣＣ−ＩＤを読込んで、取り込んだ時刻を出場時刻としてＩＣＣ−ＩＤと一緒に中央装置４４へ送り込む。
【００７２】
中央装置４４は、料金精算装置４８より受取ったＩＣＣ−ＩＤと出場時刻（精算時刻）と利用管理テーブル５２に保存管理していた入場時刻とから駐車場利用時間を計算し、駐車料金テーブル１３を参照して駐車場利用時間から駐車料金を計算し、端末装置６から受取った割引金額を駐車料金に反映させＩＣＣ−ＩＤと一緒に料金精算装置４８へ送り込む。
【００７３】
料金精算装置４８は、中央装置４４より受取った駐車料金を利用者に提示して駐車料金の支払いを求め、支払手段１１に指示して過不足が無くなるようにし、過不足が無くなった時点で中央装置４４に精算済みの精算フラグをＩＣＣ−ＩＤと一緒に送り込む。
【００７４】
中央装置４４は、料金精算装置４８よりＩＣＣ−ＩＤと対応した精算済みを示す精算フラグを受取り利用管理テーブル５２に保存する。
【００７５】
駐車料金の精算が終わった利用者は料金精算装置４８からＩＣＣ１を取り出して駐車場構内へ移動し、車に乗り込みＩＣＣ１を車載器２にセットする。ＩＣＣ１は車に固定された車載器２にセットされた状態で、車の移動により出口ゲート装置４７に近付く、出口ゲート装置４７は車の接近を検知し、車載器２よりＩＣＣ１に記録されていたＩＣＣ−ＩＤを無線で受取る。出口ゲート装置４７は受取ったＩＣＣ−ＩＤを中央装置４４へ送り込む。
【００７６】
中央装置４４は、利用者が駐車場から出る際に出口ゲート装置４７より受取ったＩＣＣ−ＩＤより利用管理テーブル５２が保存していた精算フラグを参照し精算済みであれば阻止装置４９に通過可の信号を送り、精算済みでなければ阻止装置４９に通過否の信号を送る。
【００７７】
阻止装置４９は、中央装置４４からの通過可の信号が来るまでは阻止棒１０を降ろして車（利用者）が通行できないようにするか、あるいは、阻止棒１０は常に上げておき中央装置４４からの通過可の信号が来る前に車（利用者）が通行しようとした場合に阻止棒１０を降ろして車が通行できないようになっている。前記中央装置４４からの通過可の信号を受けて、阻止装置９は精算の終わった車（利用者）を通過させ、駐車場構内から外へ出す。
【００７８】
以上のように、料金精算装置４８を利用者が店舗（売り場）から駐車場構内に移動する間に設置しているので、利用者が車に乗り込む前に精算することができるため、入口だけでなく出口においても車（利用者）がノンストップで通過できる。
【００７９】
実施の形態４．
以上の実施の形態１では、専用の駐車券を用いることなく、店舗（売り場）と駐車場とを連携して、駐車料金を利用者の購入金額や利用実績に応じて割引くようにしたものであるが、この実施の形態４では、駐車場構内に設置した車両センサを用い、車載器から車種情報を受取ることにより利用者（車）の車種に適合した駐車場所に誘導できる。
【００８０】
図４は、本発明の実施の形態４である駐車場システムの概略のブロック図である。本実施の形態４において、上記実施の形態と同一または相当の機能を有する構成要素には、同一の符号を付し説明を省略する。また、変更のない部分を省略する。図４を用いて、本装置の機能構成を説明する。
【００８１】
車両センサ１５は、超音波や踏み板スイッチなどを用いて構成され、駐車場構内の各々の駐車場所に設置されて駐車車両の存在を検知し、車両が存在しない場合に駐車車両なしを示す信号を出力する。
【００８２】
車載器６２は、ＩＣＣ１を組入れ、ＩＣＣ１に記録されていたＩＣＣ−ＩＤと車載器６２に記録されていた車種情報と接近通過時刻とを入口ゲート装置６３へ無線送信するとともに、ＩＣＣ１に記録されていたＩＣＣ−ＩＤを接近通過時刻とを出口ゲート装置７へ無線送信する。
【００８３】
入口ゲート装置６３は、車の接近を検知し、車載器６２より無線でＩＣＣ−ＩＤと車種情報とを受取り、車の接近通過に伴い受取った時刻を入場時刻としてＩＣＣ−ＩＤと車種情報と一緒に中央装置６４に送り込む。
【００８４】
中央装置６４は、入口ゲート装置６３より受取った情報の内、車種情報に着目し、車両センサ１５によりどの駐車場所が空いているかを把握し、受取った車種情報に適合した駐車場所への誘導表示を誘導表示装置１６へ指示する。
【００８５】
誘導表示装置１６は、入口ゲート装置６３付近や駐車場構内に設置され、中央装置６４からの指示に従い、利用者へ車種に適合した駐車場所への誘導を、例えば文字表示で「２階Ａブロックへ」のように行う。
【００８６】
場所車種テーブル１９は、駐車場構内の駐車場所毎に適合する車種とその場所へ誘導するための表示内容とその場所が空いているかどうかを示す空きフラグとが保存されている。
【００８７】
次に動作について説明する。
本実施の形態４では、利用者が駐車場所に車を停めるまでの間に、誘導表示装置を用いて車種に適合した駐車場所へ誘導する。
【００８８】
車両センサ１５からの駐車車両なしを示す信号により、駐車場構内のどの駐車場所が空いているかが判別でき、その空いている駐車場所を示す情報は中央装置６４へ送られている。中央装置６４は、その空いている駐車場所が空いていることを示す空きフラグを場所車種テーブル１９に記録するとともに、駐車場所に適合する車種を場所車種テーブル１９により調べ、車種毎に空いている駐車場所がどこかを把握している。
【００８９】
上記のように中央装置が車種毎の空いている駐車場所を把握している状態で、車に固定された車載器６２にセットされたＩＣＣ１は、車の移動により入口ゲート装置６３に近付く。入口ゲート装置６３は車の接近を検知し、車載器６２より車種情報を受取る。入口ゲート装置６３は受取った車種情報を中央装置６４へと送り込む。
【００９０】
中央装置６４は、入ってきた車の車種に適合する空いている駐車場所を場所車種テーブル１９により調べて、適合する空いている駐車場所への誘導表示情報を場所車種テーブル１９より取出すとともに、誘導表示装置１６に取り出した誘導表示情報を表示することにより利用者を車種に適合した駐車場所へ誘導する。
【００９１】
以上のように、車両センサ１５により駐車場構内のどの駐車場所が空いているかをチェックしており、中央装置６４にて車種毎に空いている駐車場所を把握しており、誘導表示装置１６により空いている駐車場所へ誘導しているので、車種に適合した駐車場所に誘導できる。
【００９２】
実施の形態５．
以上の実施の形態４では、車種に適合する空いている駐車場所への案内を誘導表示装置により行うようにしたものであるが、この実施の形態５では、車載器に搭載されている表示装置を用いた誘導表示を可能とする。
【００９３】
図５は、本発明の実施の形態５である駐車場システムの概略のブロック図である。本実施の形態５において、上記実施の形態と同一または相当の機能を有する構成要素には、同一の符号を付し説明を省略する。また、変更のない部分を省略する。図５を用いて、本装置の機能構成を説明する。
【００９４】
入口ゲート装置８３は、車の接近を検知し、車載器８２より無線でＩＣＣ−ＩＤと車種情報とを受取り、車の接近通過に伴い受取った時刻を入場時刻としてＩＣＣ−ＩＤと車種情報と一緒に中央装置８４に送り込むとともに、中央装置８４より車種に適合した駐車場所への誘導を表示する誘導表示情報を受取り車載器８２に送り込む。
【００９５】
車載器８２は、ＩＣＣ１を組入れ、ＩＣＣ１に記録されていたＩＣＣ−ＩＤと車載器８２に記録されていた車種情報と接近通過時刻とを入口ゲート装置８３へ無線送信するとともに、ＩＣＣ１に記録されていたＩＣＣ−ＩＤを接近通過時刻とを出口ゲート装置７へ無線送信するとともに、入口ゲート装置８３より誘導表示情報を受取り表示装置１７に表示する。
【００９６】
中央装置８４は、入口ゲート装置８３より受取った情報の内、車種情報に着目し、車両センサ１５によりどの駐車場所が空いているかを把握し、受取った車種情報に適合した駐車場所への誘導表示を誘導表示装置１６と入口ゲート装置８３とへ表示を指示する。
【００９７】
表示装置１７は、車載器８２に搭載されており、車載器８２が入口ゲート装置８３から受取った誘導表示情報を表示する。
【００９８】
次に動作について説明する。
本実施の形態５では、利用者が駐車場所に車を停めるまでの間に、誘導表示装置だけでなく、車載器に搭載された表示装置をも用いて車種に適合した駐車場所へ誘導する。
【００９９】
上記のように中央装置が車種毎の空いている駐車場所を把握しており、上記のように中央装置が誘導表示情報を取り出している状態で、中央装置８４は、取り出した誘導表示情報を誘導表示装置１６へ表示するとともに、誘導表示情報を入口ゲート装置８３へ送り込む。
【０１００】
入口ゲート装置８３は、受取った誘導表示情報を車載器８２へ送り込む。車載器８２は、受取った誘導表示情報を車載器に搭載された表示装置１７へ表示する。
【０１０１】
以上のように、車両センサ１５により駐車場構内のどの駐車場所が空いているかをチェックしており、中央装置６４にて車種毎に空いている駐車場所を把握しており、誘導表示装置１６だけでなく車載器に搭載された表示装置１７に誘導表示情報を表示することにより空いている駐車場所へ誘導しているので、車種に適合した駐車場所を利用者は車の中にいても確認できる。
【０１０２】
実施の形態６．
以上の実施の形態５では、入口ゲート通過時点での車種に適合する空いている駐車場所への案内を車載器に搭載されている表示装置により行うようにしたものであるが、この実施の形態６では、入口ゲート通過後の中間ゲート通過時点での最新の誘導表示情報を受取り可能とする。
【０１０３】
図６は、本発明の実施の形態６である駐車場システムの概略のブロック図である。本実施の形態６において、上記実施の形態と同一または相当の機能を有する構成要素には、同一の符号を付し説明を省略する。また、変更のない部分を省略する。図６を用いて、本装置の機能構成を説明する。
【０１０４】
中間ゲート装置１８は、車の接近を検知し、車載器８２より無線でＩＣＣ−ＩＤと車種情報とを受取り、中央装置１０４より車種に適合した駐車場所への誘導を表示する誘導表示情報を受取り車載器８２に送り込む。
【０１０５】
中央装置１０４は、中間ゲート装置１８より受取った情報の内、車種情報に着目し、車両センサ１５によりどの駐車場所が空いているかを把握し、受取った車種情報に適合した駐車場所への誘導表示情報を中間ゲート装置１８へ表示を指示する。
【０１０６】
表示装置１１７は、車載器８２に搭載されており、車載器８２が入口ゲート装置８３と中間ゲート装置１８とから受取った誘導表示情報を表示する。
【０１０７】
次に動作について説明する。
本実施の形態６では、利用者が駐車場所に車を停めるまでの間に、誘導表示装置だけでなく、車載器に搭載された表示装置をも用いて車種に適合した駐車場所へ誘導するが、誘導表示情報は入口ゲート装置通過時だけでなく、中間ゲート装置通過時にも誘導表示情報を受取る。
【０１０８】
上記のように中央装置が車種毎の空いている駐車場所を把握しており、上記のように中央装置が誘導表示情報を取り出している状態で、中央装置８４は、取り出した誘導表示情報を中間ゲート装置１８とへ送り込む。
【０１０９】
以上のように、上記誘導表示情報は利用者が入口ゲート装置を通過した時点から中間ゲート装置を通過した時点の間に更新されているため、利用者は中間ゲート装置を通過する時点で、入口ゲート装置を通過した時点で受取った誘導表示情報より新しい誘導表示情報を受取ることができる。
【０１１０】
実施の形態７．
以上の実施の形態１では、料金精算装置と中央装置とを別々に設け、複数の料金精算装置でも処理できるようにしたものであるが、この実施の形態７では、出口ゲートが少ない駐車場システム用に簡略化を可能とする。
【０１１１】
図７は、本発明の実施の形態７である駐車場システムの概略のブロック図である。本実施の形態７において、上記実施の形態と同一または相当の機能を有する構成要素には、同一の符号を付し説明を省略する。また、変更のない部分を省略する。図７を用いて、本装置の機能構成を説明する。
【０１１２】
出口ゲート装置１２７は、車の接近を検知し、車載器２より無線で利用者を一意に特定するＩＣＣ−ＩＤを受取り、ＩＣＣ−ＩＤを受取った時刻（出場時刻）をＩＣＣ−ＩＤと一緒に料金精算装置１２８へと送り込む。
【０１１３】
料金精算装置１２８は、入口ゲート装置３より受取ったＩＣＣ−ＩＤと入場時刻とを対応付けて利用管理テーブル１２に保存管理するとともに、端末装置６から受取った割引金額を該当するＩＣＣ−ＩＤに対応付けて利用管理テーブル１２に保存管理し、出口ゲート装置１２７より受取ったＩＣＣ−ＩＤと出場時刻と利用管理テーブル１２に保存管理していた入場時刻とから駐車場利用時間を計算し、駐車料金テーブル１３を参照して駐車場利用時間から駐車料金を計算し、端末装置６から受取った割引料金を駐車料金に反映させるとともに、駐車料金を車（利用者）に提示して駐車料金の支払いを求め、支払手段１１より受取った金額が駐車料金より多いときはお釣りを利用者に払うように支払手段１１に指示し、支払手段１１より受取った金額が駐車料金より少ないときは不足分を車（利用者）に提示して更に駐車料金の支払を求め、利用者が支払った金額に過不足が無くなった時点で阻止装置９に通過可の信号を送り車（利用者）に通過できることを通知する。
【０１１４】
次に動作について説明する。
本実施の形態７では、上記中央装置が行っていた処理全てを料金精算装置にて行う。
【０１１５】
料金精算装置１２８は、入口ゲート装置３より受取ったＩＣＣ−ＩＤと入場時刻とを対応付けて利用管理テーブル１２に保存管理するとともに、端末装置６から受取った割引金額を該当するＩＣＣ−ＩＤに対応付けて利用管理テーブル１２に保存管理する。
【０１１６】
端末装置６は、ＩＣＣ１を取り込みＩＣＣ−ＩＤを読込んで、入力手段５から入力された駐車料金の割引金額をＩＣＣ−ＩＤと一緒に料金精算装置１２８に送り込む。
【０１１７】
料金精算装置１２８は、端末装置６より受取った駐車料金の割引金額を利用管理テーブル１２に保存管理する。
【０１１８】
出口ゲート装置１２７は、車の接近を検知し、車載器２より無線でＩＣＣ−ＩＤを受取った時刻（出場時刻）をＩＣＣ−ＩＤと一緒に料金精算装置１２８へ送り込む。
【０１１９】
料金精算装置１２８は、出口ゲート装置１２７より受取ったＩＣＣ−ＩＤと出場時刻と利用管理テーブル１２に保存管理していた入場時刻とから駐車場利用時間を計算し、駐車料金テーブル１３を参照して駐車場利用時間から駐車料金を計算し、端末装置６から受取った割引料金を駐車料金に反映させる。
【０１２０】
以上のように、料金精算装置１２８にて上記中央装置の全ての処理を行っているので、出口ゲートの少ない駐車場システム用に簡略化できる。
【０１２１】
【発明の効果】
この発明は、以上に説明したように構成されているので、以下のような効果を奏する。
【０１２２】
第１の発明によれば、専用の駐車券を用いることなく、店舗（売り場）と駐車場とを連携して、駐車料金を利用者の購入金額や利用実績に応じて割引くことができるとともに、ＩＣＣを利用するもののＩＣＣにデータを書き込まないのでセキュリティ等の面で事業者としての登録等をする必要がなく容易に駐車場システムを構築できる。
また、駐車料金の精算を利用者が車に乗り込む前に、即ち、利用者が店舗（売り場）から駐車場構内に移動する間に駐車料金の精算を行い、入口だけでなく出口においても車（利用者）がノンストップで通過できる。
【０１２３】
第２の発明によれば、駐車料金の割引料金を店舗（売り場）の係員が知らなくても、利用者の購入金額や利用実績を入力するだけで以降の精算ができる。
【０１２５】
第３の発明によれば、その車種が例えば軽自動車であれば軽自動車用の駐車場所のように、その車種に適合した駐車場所を誘導表示装置により誘導できる。
【０１２６】
第４の発明によれば、駐車場を利用する車種に適合した駐車場所へ誘導する際に、車載器の表示装置を利用して誘導情報を提示できる。
【０１２７】
第５の発明によれば、駐車場を利用する車種に適合した駐車場所への誘導情報を車載器の表示装置を利用して提示する際に、中間ゲート装置を用いることで入口ゲート通過後に変化した誘導情報を提示可能とする、即ち、入口ゲート通過後に新たに空いた駐車場所への誘導情報を、中間ゲート装置通過時に車載器の表示装置を利用して提示できる。
【０１２８】
第６の発明によれば、出口ゲート数が少ない駐車場システムの場合に、中央装置と料金精算装置とを統合することにより装置を簡略化できる。
【図面の簡単な説明】
【図１】  この発明の実施の形態１による駐車場システムの概略を示すブロック図。
【図２】  この発明の実施の形態２による駐車場システムの概略を示すブロック図。
【図３】  この発明の実施の形態３による駐車場システムの概略を示すブロック図。
【図４】  この発明の実施の形態４による駐車場システムの概略を示すブロック図。
【図５】  この発明の実施の形態５による駐車場システムの概略を示すブロック図。
【図６】  この発明の実施の形態６による駐車場システムの概略を示すブロック図。
【図７】  この発明の実施の形態７による駐車場システムの概略を示すブロック図。
【図８】  従来の駐車場システムの概略を示すブロック図。
【図９】  従来の駐車場システムにおける各装置の配置を示す概略イメージ図。
【図１０】  この発明の実施の形態１による駐車場システムにおける各装置の配置を示す概略イメージ図。
【図１１】  この発明の実施の形態３による駐車場システムにおける各装置の配置を示す概略イメージ図。
【符号の説明】
１  ＩＣＣ（ＩＣカード）、２，６２，８２  車載器（車）、３，６３，８３入口ゲート装置、４，２４，４４，６４，８４，１０４  中央装置、５，２５入力手段、６，２６  端末装置、７，４７，１２７  出口ゲート装置、８，４８，１２８  料金精算装置、９，４９  阻止装置、１０  阻止棒、１１  支払手段、１２，５２  利用管理テーブル、１３  駐車料金テーブル、１４  料金割引テーブル、１５  車両センサ、１６  誘導表示装置、１７，１１７  表示装置、１８  中間ゲート装置、１９  場所車種テーブル。
【図１】
0003649068.tif 000002
【図２】
0003649068.tif 000003
【図３】
0003649068.tif 000004
【図４】
0003649068.tif 000005
【図５】
0003649068.tif 000006
【図６】
0003649068.tif 000007
【図７】
0003649068.tif 000008
【図８】
0003649068.tif 000009
【図９】
0003649068.tif 000010
【図１０】
0003649068.tif 000011
【図１１】
0003649068.tif 000012